(57)【特許請求の範囲】
【請求項１】
天面と底面と左側面と右側面と前面と後面とを有する直方体形状で、前記後面に空気吸込口が設けられ、前記前面に空気吹出口が設けられた筐体と、該筐体の前記空気吸込口と前記空気吹出口とを結ぶ空気流通路における前記空気吸込口の側に配置された送風ファンと、上側熱交換器と下側熱交換器を接合先端部が前記空気吹出口の側を向くように側面視で＜字形状に形成され前記空気流通路における前記空気吹出口の側に配置された熱交換器と、該熱交換器の下方に位置するように前記筐体の前記底面の内側に配置されたドレンパンと、を備えたダクト型空気調和機において、
前記筐体の前記天面の内側には、前記左側面から前記右側面に亘るように、下向きに突出する凸条体が設けられ、該凸条体の位置は前記上側熱交換器の上方で、且つ前記上側熱交換器の空気流通方向に対する中央よりも前記空気吹出口に寄った位置に対応する位置に設けられていることを特徴とするダクト型空気調和機。
【請求項２】
請求項１に記載のダクト型空気調和機において、
前記筐体の前記天面の内側で且つ該熱交換器の上方に位置するように、断熱材が配置され、該断熱材の下面に前記凸条体が設けられていることを特徴とするダクト型空気調和機。
【請求項３】
請求項１又は２に記載のダクト型空気調和機において、
前記凸条体は、板金製であることを特徴とするダクト型空気調和機。
【発明の詳細な説明】
【技術分野】
【０００１】
本発明は、室内の天井裏や壁面裏等に配置されるダクト型空気調和機に関する。
【背景技術】
【０００２】
従来のダクト型空気調和機３００として、例えば図５に示すように、室内天井板７０と建屋天井壁８０との間に、吊具Ｂ１、Ｂ２によって懸架されるものがある（例えば、特許文献１、２、３）。このダクト型空気調和機３００は、中空の直方体で板金製の筐体１０Ｃを備え、その筐体１０Ｃの横方向の一方の端部には空気吸込口１１が形成され、一方の端部と反対側の他方の端部には空気吹出口１２が形成されている。そして、その空気吸込口１１と空気吹出口１２を結ぶ空気流通路１３内において、空気吹出口１２の側に熱交換器２０Ｃが、空気吸込口１１の側に送風ファン５０が、それぞれ配置されている。
【０００３】
空気吸込口１１は、吸込ダクト９０Ａを介して天井板７０に取り付けられた吸込グリル７１に接続され、空気吹出口１２は、吹出ダクト９０Ｂを介して天井板７０の吹出グリル７２に接続されている。
【０００４】
従来では、熱交換器は、その熱交換器が空気流通路１３の空気流通方向に対して直交する方向に、つまり縦位置となるように配置されていたが、このようにすると、その熱交換器の高さ分だけ筐体１０Ｃの内側に空間が必要となって、熱交換容量を大きくする際に筐体の大型化を招いていた。
【０００５】
そこで、図５に示されるように、熱交換器２０Ｃを上側熱交換器２１Ｃと下側熱交換器２２Ｃに分けて構成し、その両者を、側面視で「＜字形状」となるようにを組み合わせて形成し、その接合先端部２０ａが空気吹出口１２の側を向くように配置することが行われた。
【先行技術文献】
【特許文献】
【０００６】
【特許文献１】特開２０１３−０１１３９３号公報
【特許文献２】特許第５５８７０６０号公報
【特許文献３】特開２００７−２９２４０５号公報
【発明の概要】
【発明が解決しようとする課題】
【０００７】
しかしながら、図５で説明したダクト型空気調和機は、筐体１０Ｃの中の空気流通路１３を空気吹出口１２の方向に向かう空気流のうち、上側熱交換器２１Ｃを通過する空気流が筐体１０Ｃの天面板１０Ｃ１の内面にぶつかる。これは、上側熱交換器２１Ｃを形成する複数の板状のフィン同士が所定の間隔をあけて空気流の流通方向と直交する方向に配置されているため、そのフィンによって空気流が上方向にガイドされるからである。このため、冷房運転時には、その空気流中に含まれる冷却された水分が露となってその天面板１０Ｃ１の内面に付着する。そして、最悪の場合はその露が空気流通路１３を通過する空気流で剥ぎ取られて、空気吹出口１２からダクト型空気調和機の３００の外部に飛び出し、最終的には吹出グリル７２から室内に吹き出されるおそれがあった。
【０００８】
本発明の目的は、側面視で「＜字形状」となるように形成された熱交換器を使用する場合であっても、筐体の天面の内面に付着した露が空気吹出口の方向に吹き出されることを防止したダクト型空気調和機を提供することである。
【課題を解決するための手段】
【０００９】
上記目的を達成するために、請求項１にかかる発明は、天面と底面と左側面と右側面と前面と後面とを有する直方体形状で、前記後面に空気吸込口が設けられ、前記前面に空気吹出口が設けられた筐体と、該筐体の前記空気吸込口と前記空気吹出口とを結ぶ空気流通路における前記空気吸込口の側に配置された送風ファンと、上側熱交換器と下側熱交換器を接合先端部が前記空気吹出口の側を向くように側面視で＜字形状に形成され前記空気流通路における前記空気吹出口の側に配置された熱交換器と、該熱交換器の下方に位置するように前記筐体の前記底面の内側に配置されたドレンパンと、を備えたダクト型空気調和機において、前記筐体の前記天面の内側には、前記左側面から前記右側面に亘るように、下向きに突出する凸条体が設けられ、該凸条体の位置は前記上側熱交換器の上方で、且つ前記上側熱交換器の空気流通方向に対する中央よりも前記空気吹出口に寄った位置に対応する位置に設けられていることを特徴とする。
【００１０】
請求項２にかかる発明は、請求項１に記載のダクト型空気調和機において、前記筐体の前記天面の内側で且つ該熱交換器の上方に位置するように、断熱材が配置され、該断熱材の下面に前記凸条体が設けられていることを特徴とする。
【００１１】
請求項３にかかる発明は、請求項１又は２に記載のダクト型空気調和機において、前記凸条体は、板金製であることを特徴とする。
【発明の効果】
【００１３】
本発明によれば、凸条体によって筐体の天面の下面や断熱材の下面に付着した露が吹出口方向に吹き出されることを阻止することができ、冷房運転であっても、室内に露が吹き出されることを防止することができる。
【図面の簡単な説明】
【００１４】
【図１】本発明の第１の実施例のダクト型空気調和機の断面図である。
【図２】本発明の第１の実施例の図１の左右を反転させたダクト型空気調和機の断面図である。
【図３】本発明の第２の実施例のダクト型空気調和機の断面図である。
【図４】本発明の第２の実施例の図３の左右を反転させたダクト型空気調和機の断面図である。
【図５】従来のダクト型空気調和機の取付説明図である。
【発明を実施するための形態】
【００１５】
＜第１の実施例＞
図１、図２に本発明の第１の実施例のダクト型空気調和機１００を示す。１０は板金製の筐体であり、熱交換器用の筐体１０Ａと送風ファン用の筐体１０Ｂとを組み合わせて、天面を形成する天面板１０Ａ１と１０Ｂ１、下面を形成する底面板１０Ａ２と１０Ｂ２、右側面を形成する右側面板１０Ａ３と１０Ｂ３、左側面を形成する左側面板１０Ａ４と１０Ｂ４をそれぞれ有するよう直方体形状に構成され、後面には空気吸込口１１が設けられ、前面には空気吹出口１２が設けられている。
【００１６】
熱交換器用の筐体１０Ａには、相対向するように空気吹出口１２と空気流通口１５が形成され、その内部には熱交換器２０が配置されている。そして、その筐体１０Ａの天面板１０Ａ１の内面には断熱材３０が配置され、底面板１０Ａ２の上面にはドレンパン４０が配置されている。
【００１７】
送風ファン用の筐体１０Ｂには、空気吸込口１１と相対向するように空気流通口１４が形成され、内部に送風ファン５０が配置されている。
【００１８】
筐体１０Ａと筐体１０Ｂは、空気流通口１４と空気流通口１５が連通して、筐体１０の内部に空気吸込口１１と空気吹出口１２を結ぶ空気流通路１３が形成されるように組み立てられる。
【００１９】
熱交換器２０は、上側熱交換器２１の下端部を下側熱交換器２２の先端部の上面に重ねることで、側面視で「＜字形状」に組み立てられている。そして、上側熱交換器２１の下端部と下側熱交換器２２の上端部が突き合わされた接合先端部２０ａが、空気吹出口１２を向くように、筐体１０Ｂ内に配置されている。
【００２０】
断熱材３０の下面３１には、下向きの凸条体３２が、空気吹出口１２の方向に向かう空気流の流れの方向と直交する方向、つまり筐体１０Ａの右側面板１０Ａ３の側から左側面板１０Ａ４の側までの領域に亘って、一体的に形成されている。その凸条体３２が形成される位置は、図１、図２で示したように、上側熱交換器２１の空気流方向に対する中央よりも空気吹出口１２の側に寄った位置の上方である。
【００２１】
送風ファン５０には、図示しないモータによって回転駆動される羽根車５２をファンケース５１内に備えたシロッコファンが用いられ、空気吸込口１１から空気を吸い込んで空気流通口１４，１５を介して熱交換器２０の方向に吹き出す。
【００２２】
さて、熱交換器２０に冷媒を流通させて送風ファン５０を駆動すると、空気吸込口１１から吸い込まれた空気が、空気流通口１４，１５を経由して上部熱交換器２１と下側熱交換器２２を通過する際に、その冷媒と熱交換される。
【００２３】
このとき、上部熱交換器２１に吸い込まれた空気は、前記したようにその上部熱交換器２１のフィン（このフィンは図１における上部熱交換器２１の長手方向に直交する方向に配置されている）にガイドされて、断熱材３０の下面３１の方向に吹き出されてそこにぶつかる。このため、冷房運転のときは、空気流に含まれていた水分が露となってその下面３１に付着することがあり、その付着した露が空気流によって空気吹出口１２の方向に押し出されることがある。
【００２４】
しかし、本実施例では、断熱材３０に形成された凸条体３２によって、空気吹出口１２の方向に露が吹き出されることが防止される。この露は、冷房運転中の温度制御によって送風ファン５０の風量が少なくなったりあるいは送風が停止した際に、上側熱交換器２１に落下し、さらに下側熱交換器２２に落下し、終局的にはドレンパン４０に集められる。
【００２５】
なお、下側熱交換器２２に吸い込まれた空気は、その下側熱交換器２２のフィンにガイドされて下方向に吹き付けられるが、ドレンパン４０に当たるので、その空気に含まれていた水分による露は、ドレンパン４０に集められ、空気吹出口１２の方向に押し出されることはない。
【００２６】
以上から、本実施例によれば、断熱材３０の下面３１に下向きの設けた凸条体３２によって、断熱材３０の下面に付着した露が吹出口方向１２に吹き出されることを阻止することができ、室内に露が吹き出される事態を防止できる。
【００２７】
＜第２の実施例＞
図３、図４に第２の実施例のダクト型空気調和機２００を示す。上記した第１の実施例では露が吹き出されることを阻止する凸条体３２を断熱材３０に一体的に構成したが、本実施例では、別部材の例えば板金製のＬ字形状の単体の凸条体６０を形成し、その凸条体６０を、断熱材３０の下面３１を上方向に押し付けた状態で、熱交換器用の筐体１０Ａの右側面板１０Ａ３から左側面板１０Ａ４に架け渡して固定する。
【００２８】
凸条体３２，６０を設けると、それらが流通する風に対して抵抗となるので風量が減少する。しかし、下方向への突出高さＸが異なる凸条体６０を複数用意して、その着脱を自在にしておけば、露の吹出防止効果と風量減少の関係を調整して適切な状態を得ることができる。なお、ダクト型空気調和機に断熱材３０が使用されていない場合は、その凸条体６０を筐体１０Ａの天面板１０Ａ１の内面に取り付ければよい。
【符号の説明】
【００２９】
１０：筐体
１０Ａ：熱交換器用の筐体、１０Ａ１：天面板、１０Ａ２：底面板、１０Ａ３：右側面板、１０Ａ４：左側面板
１０Ｂ：送風ファン用の筐体、１０Ｂ１：天面板、１０Ｂ２：底面板、１０Ｂ３：右側面板、１０Ｂ４：左側面板
１０Ｃ：筐体、１０Ｃ１：天面板
１１：空気吸込口、１２：空気吹出口、１３：空気流通路、１４，１５：空気流通口
２０，２０Ｃ：熱交換器、２０ａ：接合先端部
２１，２１Ｃ：上側熱交換器
２２，２２Ｃ：下側熱交換器
３０：断熱材、３１：下面、３２：凸条体
４０：ドレンパン
５０：送風ファン、５１：ファンケース、５２：羽根車
６０：凸条体
７０：室内天井板、７１：吸込グリル、７２：吹出グリル
８０：建屋天井壁
９０Ａ：吸込ダクト
９０Ｂ：吹出ダクト
１００，２００，３００：ダクト型空気調和機
【図１】
0006489310.tif 000002
【図２】
0006489310.tif 000003
【図３】
0006489310.tif 000004
【図４】
0006489310.tif 000005
【図５】
0006489310.tif 000006